(57)【要約】【課題】本発明は、壁躯体と仮設足場が並行して作業ができる成型部材を用いた板壁の多目的利用のブラケットを提供する。【解決手段】構築物を形成する化粧打込み型枠材1の連結部両側面に、溝2を設けて成る化粧打込み型枠3、該化粧打込み型枠3を2枚平行に間隔を開けて並置して、複数の鎹金物4を打ち込み固定して成る成型部材5、該成型部材5を雇い実6と接続ビス7を用いて、組積組して構築物の壁躯体Aを形成する。その過程に於いて、仮設足場を必要とする高さの成型部材5にインサート8を埋設固定して、該インサート8にボルト9を捻じ込んで、該ボルト9に足場ブラケットBを掛置きして仮設足場をなし、該仮設足場を使って構築物の壁躯体Aを継続して形成する成型部材を用いた板壁の多目的利用のブラケット。【選択図】  図1
2019035251.tif 000002
【特許請求の範囲】
【請求項１】
構築物を形成する化粧打込み型枠材の連結部両側面に、溝を設けて成る化粧打込み型枠、該化粧打込み型枠を2枚平行に間隔を開けて並置して、複数の鎹金物を打込み固定して成る成型部材、該成型部材を雇い実と接続ビスを用いて、組積組して構築物の壁躯体を形成する。その過程に於いて、仮設足場を必要とする高さの成型部材にインサートを埋設固定して、該インサートにボルトを捻じ込んで、該ボルトに足場ブラケットを掛置きして仮設足場をなし、該仮設足場を使って構築物の壁躯体を継続して形成することを特徴とする成型部材を用いた板壁の多目的利用のブラケット。
【請求項２】
前記、構築物を形成する化粧打込み型枠材の連結部両側面に、溝を設けて成る化粧打込み型枠、該化粧打込み型枠を2枚平行に間隔を開けて並置して、複数の鎹金物を打込み固定して成る成型部材、該成型部材を雇い実と接続ビスを用いて、組積組して構築物の壁躯体を形成する。その過程に於いて、軒庇を必要とする高さの成型部材にインサートを埋設固定して、該インサートに軒受けブラケットをボルトで固定する。該軒受けブラケットを用いて軒庇を構成することを特徴とする請求項１に記載の成型部材を用いた板壁の多目的利用のブラケット。
【請求項３】
前記、請求項１に記載した足場ブラケットに用いたボルトと請求項2に記載した軒受けブラケットに用いたボルトは、それぞれの役割を終えた後インサートの穴を埋める役割として、壁躯体に残して壁躯体の補修時に再利用することを特徴とする請求項１叉は2に記載の成型部材を用いた板壁の多目的利用のブラケット。
【発明の詳細な説明】
【技術分野】
【０００１】
本発明は、構築物の構築に関わる成型部材を用いた板壁の多目的利用のブラケットに関する。
【背景技術】
【０００２】
従来、構築物を造る場合、構築物を囲う作業用の仮設足場を掛けて構築物は造られている。
【０００３】
その仮設足場は大量の足場材を必要としていた。他方、構築物の突出する部分には仮設のポストで突出部分を支えていた。
【０００４】
また、構築物の保守管理時には、大量の足場材を必要とする構築物を囲う作業用の仮設足場が掛けられている。
【先行技術文献】
【特許文献】
【０００５】
【特許文献１】無し
【０００６】
【非特許文献１】無し
【発明の開示】
【発明が解決しようとする課題】
【０００７】
従来の仮設足場には次の問題があった。
○構築物を造る場合の仮設足場は、大量の仮設足場材を必要とするとともに、仮設足場を掛けて解体をする専門業者を必要としていた。
○構築物のバルコニーや軒庇等の突起物は、鋼管ポスト等の支柱を必要としていた。
○構築物を保守管理するには、新築時と同じ仮設足場を必要としていた。
【０００８】
これらは、全て作業をするための仮設であって、仮設費を削減することは建設費を削減することにつながることであり、仮設費を如何に削減できるかは大きな課題であった。
【０００９】
本発明は、上記の課題に鑑みて、構築物を造る場合、壁躯体と仮設足場を一職種が連続して構築できる、新しい工法の成型部材を用いた板壁の多目的利用のブラケットを提供するものである。
【課題を解決するための手段】
【００１０】
この発明は、上記の課題を解決するためになされたもので、構築物を形成する化粧打込み型枠材の連結部両側面に、溝を設けて成る化粧打込み型枠、該化粧打込み型枠を2枚平行に間隔を開けて並置して、複数の鎹金物を打込み固定して成る成型部材、該成型部材を雇い実と接続ビスを用いて、組積組して構築物の壁躯体を形成する。その過程に於いて、仮設足場を必要とする高さの成型部材にインサートを埋設固定して、該インサートにボルトを捻じ込んで、該ボルトに足場ブラケットを掛置きして仮設足場をなし、該仮設足場を使って構築物の壁躯体を継続して形成することを特徴とする成型部材を用いた板壁の多目的利用のブラケット（請求項１）を提供する。
【００１１】
前記、構築物を形成する化粧打込み型枠材の連結部両側面に、溝を設けて成る化粧打込み型枠、該化粧打込み型枠を2枚平行に間隔を開けて並置して、複数の鎹金物を打込み固定して成る成型部材、該成型部材を雇い実と接続ビスを用いて、組積組して構築物の壁躯体を形成する。その過程に於いて、軒庇を必要とする高さの成型部材にインサートを埋設固定して、該インサートに軒受けブラケットをボルトで固定する。該軒受けブラケットを用いて軒庇を構成することを特徴とする請求項１に記載の成型部材を用いた板壁の多目的利用のブラケット（請求項２）を提供する。
【００１２】
前記、請求項１に記載した足場ブラケットに用いたボルトと請求項2に記載した軒受けブラケットに用いたボルトは、それぞれの役割を終えた後インサートの穴を埋める役割として、壁躯体に残して壁躯体の補修時に再利用することを特徴とする請求項１叉は2に記載の成型部材を用いた板壁の多目的利用のブラケット（請求項３）を提供する。
【発明の効果】
【００１３】
本発明の特筆すべき大きな効果を列挙する。
イ）成型部材に足場ブラケットを用いることで足場費の削減と労務の削減が可能。
ロ）成型部材に軒受けブラケットを用いることで軒庇工事を迅速且つ容易に施工。
ハ）成型部材にインサートを埋設固定することで構築物の維持管理足場費が削減。
二）成型部材にインサートを埋設固定することで建設費削減と工期の削減が可能。
【００１４】
以上で説明したように、請求項１に係る発明によれば、構築物を形成する化粧打込み型枠材の連結部両側面に、溝を設けて成る化粧打込み型枠、該化粧打込み型枠を2枚平行に間隔を開けて並置して、複数の鎹金物を打ち込み固定して成る成型部材、該成型部材を雇い実と接続ビスを用いて、組積組して構築物の壁躯体を形成する。その過程に於いて、仮設足場を必要とする高さの成型部材にインサートを埋設固定して、該インサートにボルトを捻じ込んで、該ボルトに足場ブラケットを掛置きして仮設足場をなし、該仮設足場を使って構築物の壁躯体を継続して形成することで、作業効率が上がり仮設足場費が大幅に削減できる効果は大きい。
【００１５】
請求項２に係る発明によれば、前記、構築物を形成する化粧打込み型枠材の連結部両側面に、溝を設けて成る化粧打込み型枠、該化粧打込み型枠を2枚平行に間隔を開けて並置して、複数の鎹金物を打ち込み固定して成る成型部材、該成型部材を雇い実と接続ビスを用いて、組積組して構築物の壁躯体を形成する。その過程に於いて、軒庇を必要とする高さの成型部材にインサートを埋設固定して、該インサートに軒受けブラケットをボルトで固定する。該軒受けブラケットを用いて軒庇を構成することで、軒庇が迅速且つ安価に構築できる大きな効果が得られる。
【００１６】
請求項３に係る発明によれば、前記、請求項１に記載した足場ブラケットに用いたボルトと請求項2に記載した軒受けブラケットに用いたボルトは、それぞれの役割を終えた後インサートの穴を埋める役割として、壁躯体に残して壁躯体の補修時に再利用することで、補修時の仮設足場費が大幅に軽減できる大きな効果が得られる。
【発明を実施するための最良の形態】
【００１７】
以下に、本発明の実施形態は添付図面を参照しつつ詳細に説明する。
【００１８】
図１は、本発明に係る成形部材を用いた板壁の多目的利用の足場ブラケットの断面図。図２は、成形部材を用いた板壁の多目的利用の軒受けブラケットの断面図。図３は、図１のA部を拡大した詳細図。図4は、図１の足場ブラケットの断面拡大図。図5は、図2のB部を拡大した詳細図。図6は、軒受けブラケットの断面拡大図である。
【００１９】
本発明の実施形態を図面で説明すれば、図１は、構築物を形成する化粧打込み型枠材1の連結部両側面に、溝2を設けて成る化粧打込み型枠3、該化粧打込み型枠3を2枚平行に間隔を開けて並置して、複数の鎹金物4を打ち込み固定して成る成型部材5、該成型部材5を雇い実6と接続ビス7を用いて、組積組して構築物の壁躯体Aを形成する。その過程に於いて、仮設足場を必要とする高さの成型部材5にインサート8を埋設固定して、該インサート8にボルト9を捻じ込んで、該ボルト9に足場ブラケットBを掛置きして仮設足場をなした、本発明に係る成形部材を用いた板壁の多目的利用の足場ブラケットの断面図である。
【００２０】
図２は、構築物を形成する化粧打込み型枠材1の連結部両側面に、溝2を設けて成る化粧打込み型枠3、該化粧打込み型枠3を2枚平行に間隔を開けて並置して、複数の鎹金物4を打ち込み固定して成る成型部材5、該成型部材5を雇い実6と接続ビス7を用いて、組積組して構築物の壁躯体Aを形成する。その過程に於いて、軒庇を必要とする高さの成型部材5にインサート8を埋設固定して、該インサート8に軒受けブラケットCをボルト9で固定する。該軒受けブラケットCを用いて軒庇を構成する、成形部材を用いた板壁の多目的利用の軒受けブラケットの断面図である。
【００２１】
図３は、図１のA部を拡大した詳細図である。
【００２２】
図４は、図１の足場ブラケットの断面拡大図である。
【００２３】
図5は、図2のB部を拡大した詳細図である。
【００２４】
図6は、軒受けブラケットの断面拡大図である。
【００２５】
以上、図面について説明したが、本発明は、従来のように高度な技能を必要とすることなく、多能工でも迅速且つ安全で容易に構築物が構築できることを目的としたものである。
【実施例１】
【００２６】
図１を参照に、構築物を形成する40ｍｍ×120ｍｍ×1,500ｍｍの化粧打込み型枠材1の連結部両側面に、4ｍｍ巾の溝2を設けて成る化粧打込み型枠3、該化粧打込み型枠3を2枚平行に150ｍｍの間隔を開けて並置して、複数の鎹金物4を打込み固定して成る成型部材5、該成型部材5を雇い実6と接続ビス7を用いて、組積組して構築物の壁躯体Aを形成する。その過程に於いて、仮設足場を必要とする高さの成型部材5にインサート8を埋設固定して、該インサート8にボルト9を捻じ込んで、該ボルト9に足場ブラケットBを掛置きして仮設足場をなし、該仮設足場を使って構築物の壁躯体Aを継続して形成することによって、壁躯体Aと仮設足場が一業種の職人によって構築できることから、足場費の削減や労務の削減、さらに工期削減が可能になる。
【実施例２】
【００２７】
図2を参照に、構築物を形成する40ｍｍ×120ｍｍ×1,500ｍｍの化粧打込み型枠材1の連結部両側面に、4ｍｍ巾の溝2を設けて成る化粧打込み型枠3、該化粧打込み型枠3を2枚平行に150ｍｍの間隔を開けて並置して、複数の鎹金物4を打込み固定して成る成型部材5、該成型部材5を雇い実6と接続ビス7を用いて、組積組して構築物の壁躯体Aを形成する。その過程に於いて、軒庇を必要とする高さの成型部材5にインサート8を埋設固定して、該インサート8に軒受けブラケットCをボルト9で固定する。該軒受けブラケットCを用いて軒庇を構成することによって迅速に軒庇や突出部が構築できる。他方、軒庇や突出部を支える仮設ポストをなくすることで労務の削減や工期の削減が可能になる。
【実施例３】
【００２８】
図１を参照に、成型部材5にインサート8を埋設固定して、該インサート8にボルト9を捻じ込んで、該ボルト9に足場ブラケットBを掛置きして仮設足場とすることで、該ボルト9は構築物の保守管理足場に永続的に利用ができることから、永続的に足場費が軽減できる効果は大きい。残されたボルト9も構築物の化粧ボルトとしての役割もする。
【００２９】
なお、この発明において、実施例や図面に示した寸法や各部材は、一例を示したものであり、同様の機能を果たす公知の他の寸法部材に置き換えることは可能である。例えば化粧打込み型枠の寸法や板厚などは自由に設定し発明を支障なく実施することができる。
【産業上の利用可能性】
【００３０】
現在、建設業界において建設コストの削減は最重要課題である。他方、人手不足は社会問題である。本発明に於いて、足場費の削減や労務の削減、さらに工期の削減ができることは、建設業界に大きく貢献ができる。
【図面の簡単な説明】
【００３１】
【図１】本発明に係る成形部材を用いた板壁の多目的利用の足場ブラケットの断面図。
【図２】成形部材を用いた板壁の多目的利用の軒受けブラケットの断面図。
【図３】図１のA部を拡大した詳細図。
【図４】図１の足場ブラケットの断面拡大図。
【図５】図2のB部を拡大した詳細図。
【図６】軒受けブラケットの断面拡大図。
【符号の説明】
【００３２】
・  化粧打込み型枠材
・  溝
・  化粧打込み型枠
・  鎹金物
・  成型部材
・  雇い実
・  接続ビス
・  インサート
・  ボルト
A  構築物の壁躯体
B  足場ブラケット
C  軒受けブラケット
【図１】
2019035251.tif 000003
【図２】
2019035251.tif 000004
【図３】
2019035251.tif 000005
【図４】
2019035251.tif 000006
【図５】
2019035251.tif 000007
【図６】
2019035251.tif 000008